Podtech/llm-jp-corpus-v4-ja_patent huggingface dataset:
(57)【要約】【課題】  ジュースやビールなど飲み終わった飲料用金属容器内の残液を低減させる。【解決手段】  ジュースやビールなどの飲料用金属容器の上面部分の裏側の飲料液が残る部分に親水処理を施し、飲料液が残らないようにした。【選択図】図１
0003136278.tif 000002
【実用新案登録請求の範囲】
【請求項１】
本考案はジュースやビールなどの飲料用金属容器に関するもので、飲料用容器１の裏側から見た容器上面５の飲料液が残る部分６に親水処理を施して、残留液を低減させた飲料用金属容器である。
【考案の詳細な説明】
【考案の詳細な説明】
【考案が解決しようとする課題】
【０００１】  従来、ジュースやビールなどの飲料用金属容器は中身をすべて飲み終わったつもりでもジュース又はビールなどの飲料液が容器内に残ってしまう。又、容器を逆さにして振ったとしても飲料液を残さないことは難しいという問題を有していた。
【課題を解決する為の手段】
【０００２】  上記目的を達成するために、ジュースやビールなどの飲料用金属容器の上面部分の裏側の飲料液が残る部分に親水処理を施した。
【考案の効果】
【０００３】  飲料用金属容器の上面部分の裏側の飲料液が残る部分に親水処理を施せば、飲み口付近に飲料液が留まらず、スムーズに流れ出るため、飲料液の残留量が低減される。又、飲料液の残留量が低減される事により容器リサイクルの際の課題である再生純度低下の低減などにも貢献する。
【図面の簡単な説明】
【図１】  飲料用容器上面部の裏側に親水処理を施した平面図である。
【図２】  図１の拡大図である。
【図３】  裏側から見た容器上面の飲料液が残る部分を表した平面図である。
【図４】  飲料用容器の全体図である。
【符号の説明】
１  飲料用容器
２  飲み口
３  容器上面
４  プルトップ
５  裏側から見た容器上面
６  飲料液が残る部分
７  親水処理を施した飲料液が残る部分
【図１】
0003136278.tif 000003
【図２】
0003136278.tif 000004
【図３】
0003136278.tif 000005
【図４】
0003136278.tif 000006
【手続補正書】
【提出日】平成19年6月20日(2007.6.20)
【手続補正１】
【補正対象書類名】実用新案登録請求の範囲
【補正対象項目名】請求項１
【補正方法】変更
【補正の内容】
【請求項１】
本考案は缶ジュースや缶ビールなどの飲料用金属缶に関するもので、飲料用缶１の裏側から見た缶上面５の飲み口２と缶の縁９の間の飲料液が残り易い部分６に微細な凹凸加工による親水処理を施して、残留液を低減させた飲料用金属缶である。
【手続補正２】
【補正対象書類名】明細書
【補正対象項目名】全文
【補正方法】変更
【補正の内容】
【考案の詳細な説明】
【技術分野】
【０００１】本考案は缶ジュースや缶ビールなどの飲料用金属缶に関するもので、飲料用缶１の裏側から見た缶上面５の飲み口２と缶の縁９の間の飲料液が残り易い部分６に微細な凹凸加工による親水処理を施して、残留液を低減させた飲料用金属缶である。
【背景技術】
【０００２】従来、缶ジュースや缶ビールなどの飲料用金属缶は中身をすべて飲み終わったつもりでもジュース又はビールなどの飲料液が缶内に残ってしまう。
【考案の開示】
【考案が解決しようとする課題】
【０００３】缶ジュースや缶ビールなどの飲料用金属缶は中身をすべて飲み終わったつもりでもジュース又はビールなどの飲料液が缶内に残ってしまう。又、缶を逆さにして振ったとしても飲料液を残さないことは難しいという不都合を解決する事を課題とする。
【課題を解決するための手段】
【０００４】上記目的を達成するために、缶ジュースや缶ビールなどの飲料用金属缶の上面部分の裏側の飲料液が残る部分に微細な凹凸加工による親水処理を施した。
【考案の効果】
【０００５】飲料用金属缶の上面部分の裏側の飲料液が残る部分に微細な凹凸加工による親水処理を施せば、飲み口付近に飲料液が留まらず、スムーズに流れ出るため、飲料液の残留量が低減される。又、飲料液の残留量が低減される事により缶リサイクルの際の課題である再生純度低下の低減などにも貢献する。
【考案を実施するための最良の形態】
【０００６】図１は缶上面部分の裏側の平面図である。同図に示すように、缶の縁と飲み口の間の飲料液の残り易い部分に微細な凹凸加工による親水処理を施すことにより、飲み口付近に飲料液が留まらず、スムーズに流れ出るため飲料液の残留量が低減される。
【図面の簡単な説明】
【０００７】
【図１】飲料用缶上面部の裏側に微細な凹凸加工による親水処理を施した平面図である。
【図２】図１の拡大図である。
【図３】缶の上面部分の裏側の飲料液が残り易い部分を表した平面図である。
【図４】缶ジュースや缶ビールなどの飲料缶の全体図である。
【図５】微細な凹凸加工による親水処理を施した部分の拡大断面図である。
【符号の説明】
【０００８】      １  飲料用缶
２  飲み口
３  缶上面
４  プルトップ
５  缶上面部分の裏側
６  飲料液が残り易い部分
７  微細な凹凸加工による親水処理を施した部分
８  微細な凹凸加工を施した部分の拡大断面
９  缶の縁
【手続補正３】
【補正対象書類名】図面
【補正対象項目名】全図
【補正方法】変更
【補正の内容】
【図１】
0003136278.tif 000007
【図２】
0003136278.tif 000008
【図３】
0003136278.tif 000009
【図４】
0003136278.tif 000010
【図５】
0003136278.tif 000011
(57)【要約】【課題】  ティシュペーパーケースは長方形の箱形のものが多いので、装飾性が高く、新たな機能を持たせたケースを提供する。【解決手段】  ログハウス形状の箱形のケース本体に、屋根型の蓋をかぶせ、屋根の中央部にティシュの引き出し口を設けたのを特徴とするハウス型ティシュペーパーケースである。【選択図】図１
0003136277.tif 000002
【実用新案登録請求の範囲】
【請求項１】
ログハウス形状をした長方形の箱形ケース本体に、屋根型の蓋体からなり、屋根の中央部にティシュペーパー引き出し口用の、長方形の枠を取り付けたのを特徴とするハウス型ティシュペーパーケース。
【考案の詳細な説明】
【技術分野】
【０００１】  この考案は、ハウス型のティシュペーパーケースに関するものである。
【背景技術】
【０００２】  従来、ティシュペーパーケースは専用のものがほとんどで、形状は立方体の箱型をしていた。またケースとして利用しながら、容器の隙間に小物を収納するものはあった。（特許文献１参照）
【特許文献１】実用新案公開平６−７８２８３
【考案の開示】
【考案が解決しようとする課題】
【０００３】  ティシュの紙箱を一回り大きくした形状ものがほとんどで、ケースに色彩を施す工夫がされているぐらいの、単純なデザインのものしかなかった。
ケースにデザイン性を高め、さらに容器としてもう一つの機能を考えたものはなかった。
本考案は以上の問題点を解決するためになされたものである。
【課題を解決するための手段】
【０００４】  ログハウス形状をした長方形の箱形ケース本体に、屋根型の蓋体からなり、屋根の中央部にティシュペーパーの引き出し口用の、長方形の枠を取り付けたのを特徴とするハウス型のティシュペーパーケースである。
【考案の効果】
【０００５】  この考案は、桧の間伐材を活用した製品で、桧の木の温もりと爽やかな香を提供する。ティシュケースの外観に装飾性を持たせ、さらに一次的に他の容器として活用する目的をもったもので、結婚式、企業の祝事などの記念品、又はギフト贈答品に、企業の食品など各種商品を取り合わせる、独自のセット商品の容器として提供した後、ティシュペーパーのケースとして再利用する一石二鳥の効果を上げるようにしたものである。
【考案を実施するための最良の形態】
【０００６】  以下、本考案の実施の形態について説明する。
本ケース１は箱型の収納部２と屋根型の蓋部分３から成り、箱型の側面２は、複数の柱を組み合わせてログハウス形状に固定、または側板２の両端に凹凸の切り込みをつけ、縦横の側板２を相互にはめ込んで箱型に固定するものである。また蓋体３は、屋根の形状を切妻屋根３ａまたは寄棟屋根３ｂにし、屋根の中央部４を切り抜き、ティシュの取り出し口となる長方形の枠５を取り付けるのを特徴とするハウス型ティシュペーパーケースである。【０００７】  ティシュが引き出された状態で置かれているときは、屋根から煙が出ている状況をイメージできる、幻想的な装飾性を持たせた製品である。
【図面の簡単な説明】
【０００８】
【図１】本考案のティシュペーパーケースの斜視図
【図２】本考案のケース蓋体の底面図
【図３】本考案のケース箱体の斜視図
【図４】本考案の蓋体の斜視図
【符号の説明】
【０００９】    １    テッシュペーパーケース本体
２    箱体側面
３ａ  蓋体（切妻屋根）
３ｂ  蓋体（寄棟屋根）
４    屋根中央部
５    取り出し枠
【図１】
0003136277.tif 000003
【図２】
0003136277.tif 000004
【図３】
0003136277.tif 000005
【図４】
0003136277.tif 000006
【手続補正書】
【提出日】平成19年5月21日(2007.5.21)
【手続補正１】
【補正対象書類名】実用新案登録請求の範囲
【補正対象項目名】全文
【補正方法】変更
【補正の内容】
【実用新案登録請求の範囲】
【請求項１】
テッシュペーパーケースを、ログハウス風の形状とし、屋根型の蓋の中央部に、枠付きのテッシュ取り出し口を取り付けたのを特徴とするハウス型テッシュペーパーケース。
【手続補正２】
【補正対象書類名】明細書
【補正対象項目名】０００４
【補正方法】変更
【補正の内容】
【０００４】  テッシュペーパーケースを、ログハウス風の形状とし、屋根型の蓋の中央部に、枠付きのテッシュ取り出し口を取り付けたのを特徴とするハウス型テッシュペーパーケースである。
(57)【要約】【課題】本考案が解決しようとする課題は、固体発光素子（ＬＥＤ等）を使用し、省電力で球切れの無いＬＥＤを使用し、小型で携帯できる宣伝力の高い携帯式看板を提供することである。【解決手段】本考案が解決しようとする課題は、現在使用されている携帯式看板の内側から照らす内照式看板、もしくは発光しない看板部に外側から光を照射する外照式、もしくは、液晶点滅式では、無く薄型・軽量で、照度を高めた構造である事を趣旨としている。【選択図】図１
0003136272.tif 000002
【実用新案登録請求の範囲】
【請求項１】
透明プラスチック樹脂板の片面全面に銀色の班点を印刷し、その印刷面の下に、白色反射材を設置し、光源の入光部分、以外の側面を、銀色の反射材で覆い光の流出を防ぎ、その板の側面部、一箇所に、光源の入光部分、を設け、固体発光素子（ＬＥＤ等）を設置し、光の入光面からの光が、透明プラスチック樹脂板内部で、銀色の反射材・銀色の斑点印刷・白色反射材がある事により、透明プラスチック樹脂板の斑点印刷面反対の全面（発光面）の照度を上げたことを特徴とする。
単一の固体発光素子（ＬＥＤ等）を光源とする面発光板を使用し、
印刷したシートを発光面に載せ、キーホルダー・シール・ストラップ等で利用する携帯式看板。
【考案の詳細な説明】
【考案の詳細な説明】
【技術分野】
【０００１】本考案は、単一の固体発光素子（ＬＥＤ等）を光源とする面発光板を使用した携帯式看板に関する。
【背景技術】
【０００２】従来の携帯看板においては、印刷シートの下に液晶パネルや固体素子（ＬＥＤ等）を光源にして、広告内容をアピールしていた。
【考案が解決しようとする課題】
【０００３】本考案が解決しようとする課題は、現在使用されている携帯看板の内側から照らす内照式看板、もしくは発光しない看板部に外側から光を照射する外照式看板、もしくは、液晶点滅式では、無く薄型・軽量で、照度を高めた構造である事を趣旨としている。
【課題を解決するための手段】
【０００４】  透明プラスチック樹脂板の片面全面に銀色の班点を印刷し、
その印刷面の下に、白色反射材を設置し、光源の入光部分、以外の側面を、銀色の反射材で覆い光の流出を防ぎ、その板の側面部、一箇所に、光源の入光部分、を設け、固体発光素子（ＬＥＤ等）を設置し、
光の入光面からの光が、透明プラスチック樹脂板内部で、銀色の反射材・銀色の斑点印刷・白色反射材がある事により、透明プラスチック樹脂板の印刷面反対の全面（発光面）の照度を上げたことを特徴とする。
単一の固体発光素子（ＬＥＤ等）を光源とする面発光板を使用し、
印刷したシートを発光面に載せる。
【考案を実施するための最良の形態】
【０００５】以下、本考案の試作機をもとに図面を用いて説明する。
図１においては、面発光板の説明図であり、厚さ約３ミリの透明プラスチック板（１）約１６〜２４×３６〜４６ｍｍの片面全面に銀色の班点を印刷（ｃ）し、その印刷面の下に、白色反射材（４）を設置し、光源の入光部分、以外の側面を、銀色の反射材（ｂ）で覆い光の流出を防ぎ、その板の側面部、一箇所に、光源の入光部分、を設け、固体発光素子（ａ）（ＬＥＤ等）を設置し、光の入光面からの光が、透明プラスチック樹脂板（１）内部で、乱反射し、看板前面に向かう。
向かった光を均一化する為、乳白色紙（２）を置き、
インクジェット受容透明シート等の印刷物（３）を置き、フレームや、透明板等で固定する。【０００６】図２においては、図１により組みあがった携帯看板の説明図である。
【図面の簡単な説明】
【０００７】
【図１】請求項１・課題を解決する手段記載の携帯看板の部品説明図である。
【図２】請求項１・課題を解決する手段記載の携帯看板の説明図である。
【符号の説明】
【０００８】１  透明プラスチック樹脂板
２  乳白色紙
３  インクジェット受容透明シート等の印刷物
４  白色反射材
ａ  固体発光素子（ＬＥＤ等）
ｂ  銀色反射材
ｃ  透明プラスチック樹脂板、片面の銀色、斑点印刷
【図１】
0003136272.tif 000003
【図２】
0003136272.tif 000004
【手続補正書】
【提出日】平成19年4月27日(2007.4.27)
【手続補正１】
【補正対象書類名】実用新案登録請求の範囲
【補正対象項目名】全文
【補正方法】変更
【補正の内容】
【実用新案登録請求の範囲】
【請求項１】
単一光源を側面から照射して看板の前面を光らせる方法において
（１）厚みのある透明プラスチック板の片面全面に銀色の斑点を印刷し、
（２）その印刷面に無透過性の白色反射材を貼り付け、
（３）光源の入光部分以外の側面を光が流出しないように銀色の反射テープで覆い、
（４）反射テープで覆ってない箇所に固体発光素子（ＬＥＤ等）を設置し、入光すると
（５）透明プラスチック板に上記の如く銀色の斑点印刷・白色反射材・事に銀色の反射テープの加工を施すことによって、加工を施していない透明プラスチック面の発光照度を高める事を特徴とし、
（６）透明プラスチック面に、光を透過するシートに印刷した板を載せると、印刷内容をより明るく鮮明に表現でき、キーホルダー・ストラップ・シール等を付加して利用する、
以上からなる発光照度の高い携帯式看板に関する。
【手続補正書】
【提出日】平成19年7月27日(2007.7.27)
【手続補正１】
【補正対象書類名】実用新案登録請求の範囲
【補正対象項目名】全文
【補正方法】変更
【補正の内容】
【実用新案登録請求の範囲】
【請求項１】
単一光源を側面から照射して看板の前面を光らせる方法において
（１）厚みのある透明プラスチック板の片面全面に銀色の斑点を印刷し、
（２）その印刷面に無透過性の白色反射材を貼り付け、
（３）光源の入光部分以外の側面を光が流出しないように銀色の反射テープで覆い、
（４）反射テープで覆ってない箇所に固体発光素子（ＬＥＤ等）を設置し、入光すると
（５）透明プラスチック板に上記の如く銀色の斑点印刷・白色反射材・事に銀色の反射テープの加工を施すことによって、加工を施していない透明プラスチック面の発光照度を高める事を特徴とし、
（６）透明プラスチック面に、光を透過するシートに印刷した板を載せると、印刷内容をより明るく鮮明に表現でき、キーホルダー・ストラップ・シール等を付加して利用する、
以上の（１）から（６）の内容からなる発光照度の高い携帯式看板。
(57)【要約】【課題】荷台からの落雪がスムーズになり、荷台の着氷、着雪が著しく低減され、また着氷、着雪対策の作業をする必要を無くする事ができる落雪シートを提供する事。【解決方法】シート裏に両面テープ、マグネットシートを施し、排雪ダンプの荷台に直接取付けた状態で構成されるものである。【選択図】図１
0003136280.tif 000002
【実用新案登録請求の範囲】
【請求項１】
シート裏に両面テープ、マグネットシートを施し、排雪ダンプの荷台に直接取付ける特徴の落雪シート。
【考案の詳細な説明】
【技術分野】
【０００１】この考案は、荷台からスムーズに雪を下ろせる落雪シートに関するものである。
【背景技術】
【０００２】従来、気温、雪質の関係で荷台に雪が付着する為、塩化カトリュウム等を荷台に撒く方法が行われているのが一般的である。
【考案の開示】
【考案が解決しようとする課題】
【０００３】上記に記載された雪対策方法は、朝、晩の日常作業となり時間と手間を要し、また寒冷地での屋外作業になり簡単作業では有りますがドライバーの負担は避けられません。本発明は荷台からスムーズに雪を下ろせる事と同時に寒冷地での屋外作業を低減する事ができる落雪シートを提供することを目的とする。
【課題を解決するための手段】
【０００４】上記課題を解決するために、シート裏に簡単に取付けの出来る両面テープマグネットシート施し、排雪ダンプの荷台に直接取付ける事が出来る特徴の落雪シートを構成するものである。
【考案の効果】
【０００５】荷台からの落雪がスムーズになり、荷台の着氷、着雪が著しく低減されまた、着氷、着雪対策の作業をする必要を無くする事ができる。
【考案を実施ための最良の形態】
【０００６】シート裏に両面テープ、マグネットシートを施し、排雪ダンプの荷台に直接取付けた状態で構成されるものである。
【図面の簡単な説明】
【０００７】
【図１】取付け時の外観図である。
【図２】シート本体の平面図である。
【符号の説明】
１    シート
２    両面テープ、マグネットシート
【図１】
0003136280.tif 000003
【図２】
0003136280.tif 000004
(57)【要約】      （修正有） 【課題】コケ植生の特徴である保水力とコケ表面温度を一定に保つ力を利用してコケ植生下部の冷却された空気を外気として利用することでエアコンの省エネルギーを実現する。【解決手段】エアコン室外機１の入り口にフード２を取り付け、効果的にダクト式コケ植生フレーム５のダクトからコケ植生４への散水によって冷却された外気をエアコンに供給することでエアコンの省エネルギーが確実に実現できる。【選択図】図１
0003136288.tif 000002
【実用新案登録請求の範囲】
【請求項１】
エアコン等空調装置の室外機（１）の外気吸い込み側に（２）のフードと（５）
の下部がダクトとなっているコケ植生フレームと（４）のコケ植生を行い、コケ表面に適度な散水を行う装置を設け、コケ植生の下部ダクト内の温度を低下させることでエアコンの外気入り口温度を低下させたエアコン省エネルギー装置。
【請求項２】
（４）のコケ植生上の温度を計測しコケの表面温度が一定となることで、エアコン入り口の温度を低下させることの出来る自動散水装置。
【考案の詳細な説明】
【技術分野】
【０００１】
本発明は、コケ植生の特徴である保水力とコケ表面温度を一定に保つ力を利用して
コケ植生下部の冷却された空気を外気として利用することでエアコンの省エネルギーを実現する装置に関するものである。
【背景技術】
【０００２】
近年、空調装置の省エネルギー及びCO2削減技術については多岐に渡り商品化されており、その中心となるのはインバータ等の負荷制御技術であるが、この技術は低負荷時
は有効であるが、ピーク時は省エネルギーにはならないことが問題である。
エアコンインバータ制御においての冷房ピーク負荷時は夏季の７月から８月であり、外気温（いわゆるフリーエネルギー）が極めて高いためエアコンは最大負荷で連続運転することにより、結果的には省エネルギーにはならない。
【考案の開示】
【考案が解決しようとする課題】
【０００３】
エアコン等空調機の室外機は屋外にあることで、直射日光を受けた温度の高い外気を吸気することで、エアコン等空調機の冷房最大負荷時には最高の温度になっており、エアコンは最大負荷を連続することになり、省エネルギーにはならないことからエアコン室外機の外気吸入側に直接散水する装置があるが、室外機熱交換部の腐食が激しく設計通りの寿命が出なくなるという問題があるため普及していない。このためエアコンのこれ以上の省エネルギーは限界まで来ている。
【課題を解決するための手段】
【０００４】
（４）のコケ植生に効果的に散水することで、こけ植生の特徴である保水能力の高さと外気温度に影響されずにコケ表面温度が一定に保たれる特性を生かし、さらに水の蒸発潜熱による温度低下を（５）のダクト式コケ植生フレームを経由して効果的に伝熱することで（２）のエアコン室外機外気吸い込み側フードを経由して冷却された外気がエアコン室外機の吸い込み側に供給される。この冷却された外気はエアコン室外機に対して腐食させる湿度を持たないためエアコンの寿命を設計通りにすることができる。本発明は、以上の構造により、エアコンの室外機の寿命を損なわず、省エネルギーを実現する装置である。
【考案を実施するための最良の形態】
【０００５】
以下、本発明を実施するための最良の方法について説明する。
（１）のエアコン室外機入り口に（２）のフードを取り付け、効果的に（５）のダクト式コケ植生フレームのダクトから、適度に散水された（４）のコケ植生によって冷却された外気をエアコンに供給することでエアコンの省エネルギーが確実に実現できる。（４）のコケ植生上にはコケ表面の温度を計測した情報によって適切な散水を適切な時間行い、エアコンへ供給する空気を安定的に冷却し続けることができる。さらに（５）のダクト式コケ植生フレームのダクト内にはアルミの放熱フィンを設けて、よりコケ植生の冷却熱を効果的に伝熱し、より高い省エネルギー効果が実現できる。
【図面の簡単な説明】
【０００６】
【図１】本発明の透視図である。
【図２】本発明の断面図である。
【符号の説明】
【０００７】
・  エアコン室外機  
２  エアコン室外機外気吸い込み側フード
３  エアコン室外機外気吐き出し側
４  コケ植生
５  ダクト式コケ植生フレーム
６  外気の流れ
７  冷却された空気の流れ
【図１】
0003136288.tif 000003
【図２】
0003136288.tif 000004
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
エアコン等空調装置の室外機（１）の外気吸い込み側にフード（２）を取り付け、当該フード（２）にダクトを設け、下部が当該ダクトとなっているコケ植生フレーム（５）にコケ植生（４）を行い、植生されたコケ表面に適度な散水を行う装置を設けて、
当該コケ植生に散水することでコケ表面温度を一定にし、さらに冷却して、
コケ植生フレームを経由して伝熱された冷却熱によりダクト内の外気を冷却して、
この冷却された外気をエアコン室外機の吸い込み側に供給する
エアコン省エネルギー装置。
(57)【要約】【課題】  本考案は、従来の少量包装の使い難さや欠点を解決して保存や携帯が便利でデザイン性や汎用性の高いものにすると共に、資源・経済の効率化を図る。【解決手段】  本考案は、様々な色や太さのストローの特性を利用した単一の素材によって、内容物の性質に合わせて２と３を熱で接着したスティック型の密閉包装にし、開閉には尖端な爪楊枝やピンを使用して４などに穴を開けて使用する。【選択図】図１
0003136286.tif 000002
【実用新案登録請求の範囲】
【請求項１】
様々な径のプラスチックストローの中に粘性のあるものも含めた液体又は粒状・顆粒状・粉末状のものを入れ、両端を押し潰し、熱で溶かして接着して密封し、鋏を使うことなく、爪楊枝やピンを使って開封可能な添え付けや持ち運び及び保存に便利な容器
【考案の詳細な説明】
【技術分野】
【０００１】  本考案は、内容や用途に合わせて遮光色や半透明色を選び、使い捨ての携帯・保存等に便利なストロータイプのプラスチック筒型包装に関するものである。
【背景技術】
【０００２】  少量調味料や化粧品や薬やサンプルなどを入れるタレ瓶型あるいはシートを袋状にした包装がある。【０００３】  市販の弁当は、タレ瓶が惣菜の横に添えて詰められ、箸と爪楊枝がセットになった箸袋が別に添えられている。
【考案の開示】
【考案が解決しようとする課題】
【０００４】  既存の少量用蓋つきパックの場合は、複数の部材を必要とし、製造工程数が多く、蓋が開けにくいことや紛失することがある。また袋状パックの場合は、開封がし難く、開封時に内容物が垂れたり散乱したりして手や周囲を汚すことや、中身が残留することもある。それらの問題点を単一素材の一体化成型ストロー型密封パックによって、内容物の可視性・遮光性の選択も可能で、数量がカウントし易く、資源・労力・時間・スペースなどの無駄を省き、上述の不具合を解消し、さらに携帯使用などを便利にしようとするものである。
【課題を解決するための手段】
【０００５】  ストローの中に粘性のあるものも含めた液体または、粒状・顆粒状・粉末状のものを入れ、両端を押し潰し、熱で溶かして接着して密封し、開封は、鋏でも可能ではあるが、爪楊枝やピンなど太さの違う尖端な針状のものを内容に合わせて使用する。【０００６】  内容の特性と用途で、半透明色や遮光色などを使い分ける。また、ストロー成型時の温度等によって、脆性や弾性を調節して、穴開けと共に穴を広げるのが既存のものより容易になるようにも、開いた穴が縮まるようにも合わせる。
【考案の効果】
【０００７】  単一な材料で製作出来るので、資源を節約し工程もシンプルになり省力化を図ることができ、経済的である。また、使用時に起こりうる前述のような従来の欠点や問題点を解決し、携帯や保存が便利になる上、色やプリントなどファッション性を加味した加工も可能なことから、更に利用範囲を広げることが出来る。
【考案を実施するための最良の形態】
【０００８】  中身を充填後、ストローの両端を熱によって接着し密封する。開封には爪楊枝やピンを使用し、内容によって、摘んで押し出す。あるいは振り出す。あるいは立て置く。あるいは挿し込むようにして使用する。
【実施例】
【０００９】  以下、添付図面に従って本考案実施の一形態を図面に基づき詳細に説明する。
図１は半透明のストローを使用し、例えば醤油ワンポーション量を入れ２と３を熱接着して密封する。これを既存の箸袋に同梱して、使用時は同梱の爪楊枝で端に近い箇所４などに穴を開け、スポイトの要領で押し出して使う。
【産業上の利用可能性】
【００１０】  本考案は、食品関連・手芸資材、化粧品、日用品、医薬品（部外品を含む）等の製造業、販売及びサービス業などで広い用途に利用可能である。
【図面の簡単な説明】
【００１１】
【図１】密封型ケースの正面である。
【図２】密封型ケースの側面である。
【符号の説明】
【００１２】１  ストロー本体
２  閉じた一端
３  閉じた一端
４  穴
【図１】
0003136286.tif 000003
【図２】
0003136286.tif 000004
(57)【要約】【課題】  本考案は、従来の専用容器の使い難さや欠点を解決して、保存や携帯が便利で、デザイン性や汎用性の高いものにすると共に、資源・経済の効率化を図る。【解決手段】  本考案は、様々な色や太さのストローの片端２を熱で接着し、別の端３ａ及びｂ及び４をカットして被せ蓋にすることによって、繰り返し出し入れが可能で軽量な携帯や保存に便利な容器として使用する。【選択図】図１
0003136287.tif 000002
【実用新案登録請求の範囲】
【請求項１】
ストロー及びストロー状のプラスチック筒の片端を押し潰し、熱で溶かして接着して、もう一方は被せ型の蓋になるようにカットを施し、中に棒状・粒状などの形のあるものを入れる為の一体化成型のスティック型ケース
【考案の詳細な説明】
【技術分野】
【０００１】  ビーズなどの容器として、硬い筒状の本体に別素材のキャップを組み合わせた容器がある。【０００２】  棒状・ワイヤー状の素材等が袋詰めされたものを小出しして使用することがある。【０００３】  編み針・浮き・工作ベラ及びピック・絵筆・化粧筆等の道具類等の携帯には、ファスナー付きのソフトケースや、本体と蓋に別れたハードケース等が使われている。また、販売形態としては、通常はケースが無く、袋などに入れられている。
【考案の開示】
【考案が解決しようとする課題】
【０００４】  既存の蓋つきケースは複数の材料を必要とし、製造工程数が多く、蓋が開けにくいことや紛失することがある。また袋状のパックは、繰り返し出し入れする場合・小出しして使用する場合・開封時に袋が破けたなどの場合は、別の袋等に移し変える必要がある。また専用ケースは中身に対して重く・大きいなど大仰なことがある。これらの問題点をストロー単一部材の開閉自在のケースによって、軽量で、数量がカウントし易く、着色が容易でデザイン性に優れ、経済効率が良く、その他上述の不具合を解消し携帯使用や保存などを便利にしようとするものである。
【課題を解決するための手段】
【０００５】  棒状・粒状などの形のあるものを入れる為に、ストローの片端を押し潰し、熱で溶かして接着して、もう一方は被せ型の蓋になるようにカットを施し一体化成型にする。
【考案の効果】
【０００６】  単一な材料で製作出来るので、資源を節約し工程もシンプルになり、省力化を図ることができる。また、使用時に起こりうる前述のような従来の欠点や問題点を解決し、携帯や保存が便利になる上、色やプリントなどファッション性を加味した加工も可能なことから、更に利用範囲を広げることが予想される。
【考案を実施するための最良の形態】
【０００７】  ストローの片端を熱によって接着し、別の端をカットし折り曲げ被せ蓋にし、出し入れが簡単で軽量なケースにして、携帯や保存しようとする物を入れる。
【実施例】
【０００８】  以下、添付図面に従って本考案実施の一形態を図面に基づき詳細に説明する。
１は半透明のストローを使用し、例えばビーズを入れるために、まず片方の端２を押しつぶして熱で接着し、別の端３ａは角度を付けてカットする。３ｂは図１・２のようにくり貫き、４は切り離す。６より５を折り倒して１に被せて蓋とする。
【産業上の利用可能性】
【０００９】  本考案は、手芸資材、化粧品、日用品、医薬品（部外品を含む）等の製造業、販売及びサービス業などでの広い用途が考えられる。
【図面の簡単な説明】
【００１０】
【図１】開閉自在型ケースの蓋を開いた正面である。
【図２】開閉自在型ケースの蓋を開いた側面である。
【図３】開閉自在型ケース蓋を閉じた正面である。
【符号の説明】
【００１１】１  ストロー本体
２  熱処理で閉じた端
３  切り取り部分
４  切り離す部分
５  蓋
６  折る部分
【図１】
0003136287.tif 000003
【図２】
0003136287.tif 000004
【図３】
0003136287.tif 000005
(57)【要約】      （修正有）【課題】ヨゴレ・しわ等を防ぎ、一目でネクタイを選別できるようにする。【解決手段】透明なプラスチックを用いて、収納する事により一目で選別できるので、旅行・出張に役立つ。【選択図】図１
0003136290.tif 000002
【実用新案登録請求の範囲】
【請求項１】
ネクタイ収納用として作成。
現状、ネクタイをタンス等に吊るすか箱に収納する状況下円筒の透明な箱に収めることで、一目でネクタイの柄等が見つけやすく、携帯にも便利な収納箱。
【考案の詳細な説明】
【技術分野】
【０００１】プラスチックで透明な容器なので一目で使用するネクタイを選ぶことができ、ヨゴレ・しわ等も防げ携帯便利な収納箱である。
【実施例】
【０００２】以下、添付図面に従って一実施例を説明する。
１は耐久性のプラスチック等適宣素材にて一体形成されたネクタイを収納する箱本体で２は本体の上蓋で本体とはネジで固定する。３は本体と上蓋を固定させる為のネジ部分。
【図面の簡単な説明】
【０００３】
【図１】本考案のネクタイ収納箱の本体を示す正面図である。上蓋とはネジ式で固定する。
【図２】平面図である。
【符号の説明】
【０００４】１  本体
２  本体上蓋
３  本体ネジ部分
【図１】
0003136290.tif 000003
【図２】
0003136290.tif 000004
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
現状、ネクタイをタンス等に吊るすか箱に収納する現状下、円筒の透明な箱に収めることで、一目でネクタイの柄等が見つけやすくインテリアにもなり携帯にも便利な収納箱。
(57)【要約】      （修正有）【課題】乗車時に、靴に付着した泥や土を効果的に落とし車内を清潔にする。また雨水等による靴底の濡れや泥土は、クラッチ、ブレーキペタル操作で滑べる危険があった。【解決手段】車外、乗車口近くに鉄板等で足が自由に出し入れできる枠１又は穴状を形成し、下部は板２にしてこれに泥落とし部材４を取り付ける。部材の種類、特性により板２の形状を変え、靴の泥を効果的に落とせるようにした。板には泥、排出穴を開けた。また、直接、板に泥落とし形状を加工したものもある。【選択図】図５
0003136282.tif 000002
【実用新案登録請求の範囲】
【請求項１】
乗車口近くの外部に、鉄板又は、鉄棒あるいは、合成樹脂で自由に足が出し入れできる空間をもった穴又は枠を形成し固着する。穴又は枠の下部は板状であり、これに泥落とし部材を取り付ける。あるいは、板本体に泥落とし形状を加工する。
板には、落とした泥の排出穴を開ける  靴の泥落とし装置。
【請求項２】
泥落とし部材の種類、特性により下部の板の形状を変えることを特徴とした請求項１に記載の靴の泥落とし装置。
【請求項３】
泥落とし板本体だけを溶接又はネジ等で充分な強度を得られるならば、車体のいずれかの位置に取り付けることができる、請求項２に言載の泥落とし装置。
【考案の詳細な説明】
【技術分野】
【０００１】本考案は、靴に付いた土や泥あるいは靴底の雨水を車内に持ちこむことを防止する。
【背影技術】
【０００２】荷台に乗る足かけや乗車用の踏台はあったが有効な靴の泥落とし装備はなかった。
【考案の開示】
【考案の解決しようとする課題】
【０００３】トラック車利用は農業、土木、建築と土や泥が靴に付きやすい現場が多い。このため靴に付いた泥は、徐々に車内の床に溜まり、土埃となり窓やエアコンの風で舞い上がり不衛生だった。
また靴底に付いた泥や雨水の濡れは、クラッチ、ブレーキペタルを踏んだ時に滑べる危険があった。この間題を解決する装置を提供する。
【課題を解決するための手段】
【０００４】乗車口近くの外部に鉄板又は鉄棒、あるいは合成樹脂で自由に足が出し入れできる空間をもった穴又は枠を形成し固着する。穴、枠の下部は板状であり、これに泥落とし部材を取り付ける。
【０００５】請求項２に記載の泥落とし部材の種類、特性により下部の板の形状を変えることを特徴とした  これにより効率的に泥を落とせる。
【０００６】泥落とし部材は靴を傷つけずに泥を剥ぎ取る程度の強度を備えるブラシ状や人工芝状、マット状であって合成樹脂、ゴム、布や金属等を材料とすることが好ましい。
【０００７】請求項１に記載の考案は板に部材を取り付けずに、板本体直接表面に凹凸をつける。綱状にする。あるいは泥落とし刃を立てることを特徴とする。
【考案の効果】
【０００８】本考案は車内に入る前に靴に付着した土や泥を落とすので車内が清潔になる。靴底の泥や雨水の濡れが取れるのでペタル操作で滑べることがなくなり安全である。
【考案を実施するための最良の形態】
【０００９】図１は車の側面であって泥落とし装置１は乗車口の近くにあり使用に便利である。又荷台の下にあり作業の邪魔にならない。ことを示す斜視図【００１０】図２と図３は、泥落とし部材の種類により効果的に作用するよう下部の板２の形体を変えたことを示す。
図２はブラシ状３で板２である。
図３においてはマット状４で板２である。
靴から剥ぎ落とした泥は板２の穴５より排出される。【００１１】図４で示すように、板２に泥落とし部材を用いず直接泥落とし形状を加工したものである。磨耗部材がない。【００１２】図５は泥落とし実施図である。足の人体的構造において板２は角度を１０度程度Ａ先端部を上げることが望ましい。【００１３】図６は泥落とし部材を取り付けた装置の斜視図
【図面の簡単な説明】
【００１４】
【図１】本考案の装置の望ましい取付け位置を示す斜視図
【図２】泥落とし部材がブラシ状である断面図。
【図３】泥落とし部材がマット状である断面図。
【図４】板に泥落とし形状を直接加工した断面図。
【図５】装置の使用状態を示す。
【図６】泥落とし部材がマット状である装置の斜視図。
【符号の説明】
【００１５】１  鉄板の枠部
２  下部の板
３  ブラシ状の泥落とし部材
４  マット状の泥落とし部材
５  剥ぎ取った泥を排出する穴
Ａ  角度
【図１】
0003136282.tif 000003
【図２】
0003136282.tif 000004
【図３】
0003136282.tif 000005
【図４】
0003136282.tif 000006
【図５】
0003136282.tif 000007
【図６】
0003136282.tif 000008
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
トラックの乗車口付近に固着される靴の泥落し装置であって、鉄板又は鉄棒あるいは合成樹脂からなり、足を自由に出し入れ可能な空間を有する穴又は枠を形成するとともに、泥の排出穴が開けられ且つ泥落し部材が配されあるいは泥落し形状に加工された板が前記穴又は枠の下部に取り付けられていることを特徴とする靴の泥落し装置。
【請求項２】
前記穴又は枠の下部に取り付けられる板の形状が、波形であることを特徴とする請求項１に記載の靴の泥落し装置。
(57)【要約】      （修正有）【課題】自動車用停止表示板に於いて、安定性及び耐風圧性を向上させる。【解決手段】自動車用三角停止表示板の底辺に取り付けられた細長い筒状の物と、錘を入れた２本のスライド部品で構成された安定装置。停止表示板使用時に、収納されているスライド部品をストッパーまで引き出して設置する。使い終わったら、スライド部品を押し込んで収納する。【選択図】図１
0003136285.tif 000002
【実用新案登録請求の範囲】
【請求項１】
自動車用三角停止表示板の底辺に取り付けられた細長い筒状の物と、錘を入れた２本のスライド部品で構成された安定装置。
停止表示板使用時に、収納されているスライド部品をストッパーまで引き出して設置する。使い終わったら、スライド部品を押し込んで収納する。
【請求項２】
安定装置のスライド部品を引き出した先端下部に、滑り止め金属部品を取り付け、設置する地面との更なるグリップアップを図り、安定性を向上させる。
【考案の詳細な説明】
【技術分野】自動車用停止表示板に於いて、安定性及び耐風圧性を向上させる為の技術
【背景技術】  本、出願会社は自動車用停止表示板を、１９７９年に国家公安委員会の型式認定許可品として（承認番号、交Ｆ７９−８８）承認を受けて以来、今日までその製造販売を続けています。２００４年には、新たに製作した２種類目の停止表示板も同様の承認（承認番号、交Ｆ０４−２）を受け、年間、数十万本の製造販売をしております。
【考案の開示】
【考案が解決しようとする課題】  停止表示板の安定性及び耐風圧性の向上
【問題を解決する為の手段】
停止表示板の下部に取り付けた細長い筒状の物に、スライド部品の中に錘を入れた物を両端から差し込んで収納して置く。表示板使用時にそれを引き出して延長、安定性を向上させる。加えて両端に爪を取り付け、更に耐風圧性を増強する様にした。
【考案の効果】
考案した試作品を（財）日本車両検査協会  東京検査所に安定試験を依頼、耐風圧規準値合格の結果を得た。
【産業上の利用可能性】  本考案の停止表示板は、コンパクトに収納できる事は勿論、従来の製品に比べて、約１ｋｇ軽量化することが出来た。これにより大幅なコストの引き下げが可能となる。
又、スライド部品により、グリップ点までの距離が長くなる為、耐モーメント性が格段に向上した。
【図面の簡単な説明】
【図１】使用時の見取り図
【図２】使用時の表面図
【図３】使用時の側面図
【図４】安定装置の断面図
【図５】安定装置の上面図
【符号の説明】
Ａ  停止表示板本体
１  停止表示板の本体下部に取り付ける細長い筒
２  錘を装填した細長い筒に差し込まれるスライド部品
３  スライド部品に装填された鉄の錘
４  金属製の爪
５  スライド部品の引き出し時に固定するストッパー
６  停止表示板と安定装置を取り付けるビス
【図１】
0003136285.tif 000003
【図２】
0003136285.tif 000004
【図３】
0003136285.tif 000005
【図４】
0003136285.tif 000006
【図５】
0003136285.tif 000007
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
自動車用三角停止表示板に取り付けられた伸縮式安定装置であって、使用時に収納されているスライド部品を引き出して設置し、使い終わったらスライド部品を押し込んで収納することを特徴とする自動車用三角停止表示板の安定装置。
【請求項２】
請求項1において、スライド部品を引き出した先端下部に滑り止め金属部品を取り付け、安定性を向上させることを特徴とする自動車用停止表示板の安定装置。
(57)【要約】【課題】  極めて簡単な方法で三次元造形物を作製する新規な方法を提供すること。【解決手段】  本考案は、スプーンの輪郭を様々な形状にすることで、すくったときの粒状物および粉体の形をスプーンの輪郭の形状に応じて変化させる機能を持たせるものである。【選択図】図４
0003136283.tif 000002
【実用新案登録請求の範囲】
【請求項１】
粒状物および粉体をのせたときに、形状に応じて粒状物および粉体の形が変化することを特徴としたスプーン。
【考案の詳細な説明】
【技術分野】
【０００１】  本考案は、粒状物及び粉体を利用して色々な形を作ることができるスプーンに関するものである。
【背景技術】
【０００２】  砂を用いて造形をする方法としては、熱硬化性レジン被覆砂を使用して３次元の砂型を造形する技術が知られている（特許文献１）。又、粉体造型機を使用した粉体凝固層を積層した粉体造形品の製造方法に関する技術も公開されている（特許文献２）。しかしながら、色々な形状のスプーンの上に、粒状物や粉体を載せることで色々な形状を作成する事例はなかった。
【特許文献１】特開平９−１６８８４０号公報
【特許文献２】特開２００１−１６２３５１号公報
【考案の開示】
【考案が解決しようとする課題】
【０００３】  砂や粒状物を使用した新しい造形法を提供すること。
【課題を解決するための手段】
【０００４】  スプーンの輪郭の形状を色々と変化させたものを準備する。そのスプーン上に粒状物および粉体を適当な方法で載せる。スプーン上の粒状物や粉体はスプーンの輪郭の違いに応じて色々な三次元形状を形成する。本考案は、スプーンの輪郭を様々な形状にすることで、スプーンですくいとったり、上から粉体をかけたりして、スプーン上に粒状物および粉体の載せた場合にできる形を、スプーンの輪郭の形状に応じて変化させる機能を持たせるものである。
【考案の効果】
【０００５】  従来のスプーンにはなかった、すくったときの粒状物や粉体の造形的な遊戯性を持たせることができる。極めて簡単な方法で色々な三次元造形物ができるので、粒状物や粉体に後処理で形を固定化できる場合には、色々な三次元造形物を容易に作製できる。
【考案を実施するための最良の形態】
【０００６】  スプーン部の輪郭形状を従来の楕円形から、図１や図２に示したような角形や星型等といった色々な形状にする。本考案でいうスプーンとは、通常見かけるスプーン上に色々な輪郭を有する平板部を設けたものでも良いし、色々な輪郭を有する平たい板の部分に柄がついた形状のものでも良い。スプーンの材質は金属やプラスチック等ある程度強度を有し、粉体や粒状物を載せることができる物であれば構わない。粉体や粒状物を載せる部分の大きさは特に制限はない。造りたい造形物の大きさに応じて大きさを変えれば良い。
【図面の簡単な説明】
【０００７】
【図１】  考案の粒状物及び粉体を形作る機能を持ったスプーンの上面図
【図２】  考案のスプーン部位のバリエーション例  三種
【図３】  図２のスプーンに粒状物及び粉体をのせたときの形の例
【図４】  考案のお玉型スプーンのバリエーション例
【図５】  図４のスプーンに粒状物及び粉体をのせたときの形の例
【符号の説明】
【０００８】  １  考案のスプーン部位
２  考案の柄部
【図１】
0003136283.tif 000003
【図２】
0003136283.tif 000004
【図３】
0003136283.tif 000005
【図４】
0003136283.tif 000006
【図５】
0003136283.tif 000007
【手続補正書】
【提出日】平成19年7月21日(2007.7.21)
【手続補正１】
【補正対象書類名】実用新案登録請求の範囲
【補正対象項目名】全文
【補正方法】変更
【補正の内容】
【実用新案登録請求の範囲】
【請求項１】
スプーン部の形状を頂点をもつ形状とし、粒状物および粉体をのせたときに、スプーン部の各頂点から中心部へと、形状に応じた粒状物および粉体による直線の稜線を作り出すことを特徴としたスプーン。
(57)【要約】      （修正有）【課題】卓上に置く円形筒状の筐体で、頭部に鼻型状の風の吹き出し口を持ち、内部に超小型扇風機を具備した送風機を提供する。【解決手段】内蔵した超小型扇風機を、下部に具備した乾電池により駆動するもので、円形筒状筐体側面に設けられたスイッチＢによって駆動時間を制御し、高温食品を頭部鼻型状の吹き出し口Ｅからの送風によって冷まし、口中の火傷を防ぎ、且つ口で冷ます手間を割き、効率よく適温調節によって快適な食生活を営める。【選択図】図１
0003136289.tif 000002
【実用新案登録請求の範囲】
【請求項１】
１略筒状の形態をしていて、頭部に当たる部分から下方に向かい風を吹き出すための鼻型部（Ａ）を持ち、筒状筐体部内部に超小型扇風機と乾電池を収容し筒状筐体側面に乾電池から超小型扇風機を駆動するための電流を切断するためのスイッチ（Ｂ）を具備している。
２筒状筐体は縦に建てた状態で使用するため内部に具備した超小型扇風機は頭部に向かい送風するように設置され、筐体中央より稍下がった部分に開けられた吸気口（Ｄ）から外気を吸入して扇風機によって加速された空気は鼻型部の吹出口（Ｅ）から吹き出される、なお筐体内の下部に乾電池の収容部分を設けていて筐体底辺部から乾電池の着脱を行えるようにしてある。
【考案の詳細な説明】
【考案の詳細な説明】
【技術分野】
【０００１】本考案は超小型扇風機を内蔵し乾電池によって駆動される送風機である。
【背景技術】
【０００２】本考案は卓上に置く小型の送風機能を持った機器で加熱した高温の食品を冷まし口中の火傷を防ぐもので、従来の製品では該当するものが見当たらない。
【考案が解決しようとする課題】
【０００３】高温の食品は通常では口中の火傷を防ぐため口から風を送って冷まして適温にしてから食べるが、急いでいる時などはこれに囚われてほかの動作ができない、特に幼児などに食事を与える際に冷ます作業をこの製品に任せることにより、与える側も能率良く他の動作をすることが出来自分も適温の食事をすることが出来る。また高温の食事は口中の火傷に留まらず胃に炎症をもたらし最悪の場合は胃ガンへと進むと聞いている、適温の食事は健康上からも必要で望まれるところである。
【課題を解決するための手段】
【０００４】本考案は加熱したばかりの高温の料理や飲料、スープ等、特に粘度の高い冷め難いものに容器上面から風を送り適温に冷まし、過度の高温による口中の火傷を防ぎ食事に最適な温度にするため随時、料理、飲料の内容に応じて送風時間を筐体側面に具備したスイッチにより調節出来る。本考案は容器に盛られた料理個々を冷ますものであるから各人の好む温度になるよう吹き出し時間を調節すればよい。
【考案を実施するための最良の形態】
【０００５】本考案は小型軽量であるから卓上に常備して置き高温の飲食物を冷ますのに最適で、特に忙しく食事しなければならない場合とか冷めにくいスープや温度の下がりにくい料理、乳幼児、病人のための料理を適温に冷ます際に適している。
【実施例】
【０００６】上述の考案の形態で述べた通り
【考案の効果】
【０００７】本考案は乾電池で筐体内部に具備した超小型扇風機を駆動させる方式のため小型軽量であるため常時卓上に置き、各人が自分の好みの位置に移動させて使用可能である。なお本考案は卓上において飲食物を適温に冷ますためだけでなく簡単に持ち運べるので例えばマネキュアーや薬品の塗布後の乾燥や墨書き、印刷物、小面積の塗装等の乾燥にも便利である。
【図面の簡単な説明】
【図１】本器の立体図である。  １  Ａ  鼻型部  ２  Ｂ  スイッチ  ３  Ｃ  筐体底蓋  ４  Ｄ  吸気口  ５  Ｅ  吹出口
【図２】本器の一部欠断面図である。
【符号の説明】
１  超小型扇風機
２  乾電池
【図１】
0003136289.tif 000003
【図２】
0003136289.tif 000004
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
略筒状の形態をして次の項目のものが具備されている、
１）頭部に鼻形部（Ａ）を持ちその先端解放口（Ｅ）は絞られており内部から送られてきた風を下方に吹き出す、
２）筒状筐体の内部には超小型扇風機とこれを駆動させる乾電池を収容するための空間部を持つ、
３）筐体側面に乾電池から超小型扇風機への駆動電流を切断ためのスイッチ（Ｂ）を持つ、
４）また筐体中央より稍下がった部分に外気を吸入するための吸気口（Ｄ）を持つ、
２）筐体底辺部（Ｃ）から乾電池の着脱を行えるようにしてある、
以上からなる小型卓上送風機。